(57)【特許請求の範囲】
【請求項１】
少なくとも１枚のレンズ素子で構成されたレンズ群を複数有するズームレンズ系であって、
物体側から像側へと順に、
負のパワーを有する第１レンズ群と、
正のパワーを有する第２レンズ群と、
負のパワーを有する第３レンズ群と、
正のパワーを有する第４レンズ群と
からなり、
前記第３レンズ群が、２枚以下のレンズ素子からなり、
前記第４レンズ群が、２枚以下のレンズ素子からなり、
前記第１レンズ群が、該第１レンズ群を構成するいずれかのレンズ素子間に少なくとも１つの空気間隔を有し、
撮像時の広角端から望遠端へのズーミングの際に、前記第１レンズ群が、像面に対して移動し、
以下の条件（１）を満足する、ズームレンズ系：
Ｄａｉｒ／ｆＷ＞０．８５  ・・・（１）
ここで、
Ｄａｉｒ：第１レンズ群において最物体側に位置する空気間隔、
ｆＷ：広角端における全系の焦点距離
である。
【請求項２】
第１レンズ群が、少なくとも１枚の負のパワーを有するレンズ素子と少なくとも１枚の正のパワーを有するレンズ素子とを含み、以下の条件（４）を満足する、請求項１に記載のズームレンズ系：
１５＜ν１ｎ−ν１ｐ＜４０  ・・・（４）
ここで、
ν１ｎ：第１レンズ群に含まれる負のパワーを有するレンズ素子の、ｄ線に対するアッベ数の平均値、
ν１ｐ：第１レンズ群に含まれる正のパワーを有するレンズ素子の、ｄ線に対するアッベ数の平均値
である。
【請求項３】
以下の条件（５）を満足する、請求項１に記載のズームレンズ系：
１．４＜√（−ｆＧ１×ｆＧ２）／Ｉｒ＜２．０  ・・・（５）
ここで、
ｆＧ１：第１レンズ群の焦点距離、
ｆＧ２：第２レンズ群の焦点距離、
Ｉｒ：最大像高（Ｉｒ＝ｆＴ×ｔａｎ（ωＴ））、
ｆＴ：望遠端における全系の焦点距離、
ωＴ：望遠端における最大画角の半値（°）
である。
【請求項４】
以下の条件（６）を満足する、請求項１に記載のズームレンズ系：
ｎＬ１＞１．７０  ・・・（６）
ここで、
ｎＬ１：第１レンズ群において最物体側に位置するレンズ素子のｄ線に対する屈折率
である。
【請求項５】
以下の条件（７）を満足する、請求項１に記載のズームレンズ系：
０．８５＜ＬＷ／ＬＴ＜１．１５  ・・・（７）
ここで、
ＬＷ：広角端におけるレンズ全長（広角端における、第１レンズ群の最物体側レンズ面から像面までの距離）、
ＬＴ：望遠端におけるレンズ全長（望遠端における、第１レンズ群の最物体側レンズ面から像面までの距離）
である。
【請求項６】
第１レンズ群が、少なくとも１枚の負のパワーを有するレンズ素子を含み、以下の条件（８）を満足する、請求項１に記載のズームレンズ系：
Ｄｎ／√（ｆＷ×ｆＴ）＜０．０７０  ・・・（８）
ここで、
Ｄｎ：第１レンズ群において最像側に位置する負のパワーを有するレンズ素子の中心厚み、
ｆＷ：広角端における全系の焦点距離、
ｆＴ：望遠端における全系の焦点距離
である。
【請求項７】
以下の条件（９）を満足する、請求項１に記載のズームレンズ系：
ｎＧ１ａｖｅ＞１．８  ・・・（９）
ここで、
ｎＧ１ａｖｅ：第１レンズ群を構成するレンズ素子の、ｄ線に対する屈折率の平均値
である。
【請求項８】
以下の条件（１０）を満足する、請求項１に記載のズームレンズ系：
νＧ２＞６０  ・・・（１０）
ここで、
νＧ２：第２レンズ群を構成するレンズ素子の、ｄ線に対するアッベ数の最大値
である。
【請求項９】
第１レンズ群を構成する一部のレンズ素子又は第２レンズ群が、沈胴時に撮像時とは異なる軸に沿って退避する退避レンズ群である、請求項１に記載のズームレンズ系。
【請求項１０】
第１レンズ群において最物体側に位置するレンズ素子が、物体側に凸の形状を有する、請求項１に記載のズームレンズ系。
【請求項１１】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１に記載のズームレンズ系である、撮像装置。
【請求項１２】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。 
【発明の詳細な説明】
【技術分野】
【０００１】
本発明は、ズームレンズ系、撮像装置及びカメラに関する。特に本発明は、レンズ全長が短く小型でありながら、広角端での広い画角と高いズーミング比とを有するだけでなく、迅速なフォーカシングが可能であり、特に近接物体合焦状態においても高い光学性能を備えたズームレンズ系、該ズームレンズ系を含む撮像装置、及び該撮像装置を備えた薄型でコンパクトなカメラに関する。
【背景技術】
【０００２】
従来より、デジタルスチルカメラやデジタルビデオカメラ等の、光電変換を行う撮像素子を持つカメラ（以下、単にデジタルカメラという）に対して、コンパクト化及び高性能化の要求が強くなってきている。
【０００３】
前記のごとくコンパクト化及び高性能化が図られたデジタルカメラに用いられるズームレンズ系として、例えば、物体側から像側へと順に、負のパワーを有する第１レンズ群と、正のパワーを有する第２レンズ群とが配置された、負正の２群構成を少なくとも有するズームレンズが種々提案されている。
【０００４】
特許文献１は、負正負正の４群構成を有し、各レンズ群間の空気間隔を変化させて変倍を行うズームレンズで、広角端から望遠端へのズーミングの際に、第１レンズ群と第２レンズ群との間隔を変化させて変倍を行い、第１レンズ群が３枚のレンズで構成され、第２レンズ群が４枚のレンズで構成され、第３レンズ群が３枚のレンズで構成され、第４レンズ群が１枚のレンズで構成されているズームレンズを開示している。
【０００５】
特許文献２は、負正負正の４群構成を有し、各レンズ群間の空気間隔を変化させて変倍を行うズームレンズで、広角端から望遠端へのズーミングの際に、第１レンズ群と第２レンズ群との間隔を変化させて変倍を行い、第１レンズ群が３枚のレンズで構成され、第２レンズ群が３枚のレンズで構成され、第３レンズ群が３枚のレンズで構成され、第４レンズ群が１枚のレンズで構成されているズームレンズを開示している。
【０００６】
特許文献３は、負正正の３群構成を有し、各レンズ群間の空気間隔を変化させて変倍を行うズームレンズで、広角端から望遠端へのズーミングの際に、第１レンズ群と第２レンズ群との間隔を変化させて変倍を行い、第１レンズ群が２枚のレンズで構成され、第２レンズ群が３枚のレンズで構成され、第３レンズ群１枚のレンズで構成されているズームレンズを開示している。
【先行技術文献】
【特許文献】
【０００７】
【特許文献１】特開２００５−３５２４２８号公報
【特許文献２】特開２００８−１９７１７６号公報
【特許文献３】特開２０１０−１２２６２５号公報
【発明の概要】
【発明が解決しようとする課題】
【０００８】
しかしながら、特許文献１及び２に開示のズームレンズはいずれも、レンズ枚数が１０枚以上と多く、レンズコストが高いだけでなく、レンズ全長が長いため、近年のデジタルカメラに対する要求を満足し得るものではない。
【０００９】
また特許文献３に開示のズームレンズは、レンズ枚数が６枚と少ないものの、レンズ全長が長く、やはり近年のデジタルカメラに対する要求を満足し得るものではない。
【００１０】
本発明の目的は、レンズ全長が短く小型でありながら、広角端での広い画角と高いズーミング比とを有するだけでなく、高い光学性能を備えたズームレンズ系、該ズームレンズ系を含む撮像装置、及び該撮像装置を備えた薄型でコンパクトなカメラを提供することである。
【課題を解決するための手段】
【００１１】
上記目的の１つは、以下のズームレンズ系により達成される。すなわち本発明は、
少なくとも１枚のレンズ素子で構成されたレンズ群を複数有するズームレンズ系であって、
物体側から像側へと順に、
負のパワーを有する第１レンズ群と、
正のパワーを有する第２レンズ群と、
負のパワーを有する第３レンズ群と、
正のパワーを有する第４レンズ群と
からなり、
前記第３レンズ群が、２枚以下のレンズ素子からなり、
前記第４レンズ群が、２枚以下のレンズ素子からなり、
前記第１レンズ群が、該第１レンズ群を構成するいずれかのレンズ素子間に少なくとも１つの空気間隔を有し、
撮像時の広角端から望遠端へのズーミングの際に、前記第１レンズ群が、像面に対して移動し、
以下の条件（１）：
Ｄａｉｒ／ｆＷ＞０．８５  ・・・（１）
（ここで、
Ｄａｉｒ：第１レンズ群において最物体側に位置する空気間隔、
ｆＷ：広角端における全系の焦点距離
である）
を満足する、ズームレンズ系
に関する。
【００１２】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、
少なくとも１枚のレンズ素子で構成されたレンズ群を複数有し、
物体側から像側へと順に、
負のパワーを有する第１レンズ群と、
正のパワーを有する第２レンズ群と、
負のパワーを有する第３レンズ群と、
正のパワーを有する第４レンズ群と
からなり、
前記第３レンズ群が、２枚以下のレンズ素子からなり、
前記第４レンズ群が、２枚以下のレンズ素子からなり、
前記第１レンズ群が、該第１レンズ群を構成するいずれかのレンズ素子間に少なくとも１つの空気間隔を有し、
撮像時の広角端から望遠端へのズーミングの際に、前記第１レンズ群が、像面に対して移動し、
以下の条件（１）：
Ｄａｉｒ／ｆＷ＞０．８５  ・・・（１）
（ここで、
Ｄａｉｒ：第１レンズ群において最物体側に位置する空気間隔、
ｆＷ：広角端における全系の焦点距離
である）
を満足するズームレンズ系である、撮像装置
に関する。
【００１３】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有する第１レンズ群と、
正のパワーを有する第２レンズ群と、
負のパワーを有する第３レンズ群と、
正のパワーを有する第４レンズ群と
からなり、
前記第３レンズ群が、２枚以下のレンズ素子からなり、
前記第４レンズ群が、２枚以下のレンズ素子からなり、
前記第１レンズ群が、該第１レンズ群を構成するいずれかのレンズ素子間に少なくとも１つの空気間隔を有し、
撮像時の広角端から望遠端へのズーミングの際に、前記第１レンズ群が、像面に対して移動し、
以下の条件（１）：
Ｄａｉｒ／ｆＷ＞０．８５  ・・・（１）
（ここで、
Ｄａｉｒ：第１レンズ群において最物体側に位置する空気間隔、
ｆＷ：広角端における全系の焦点距離
である）
を満足するズームレンズ系である、カメラ
に関する。
【発明の効果】
【００１７】
本発明によれば、レンズ全長が短く小型でありながら、広角端での広い画角と高いズーミング比とを有するだけでなく、迅速なフォーカシングが可能であり、特に近接物体合焦状態においても高い光学性能を備えたズームレンズ系、該ズームレンズ系を含む撮像装置、及び該撮像装置を備えた薄型でコンパクトなカメラを提供することができる。
【図面の簡単な説明】
【００１８】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７（実施例７）に係るズームレンズ系の無限遠合焦状態を示すレンズ配置図
【図２０】実施例７に係るズームレンズ系の無限遠合焦状態の縦収差図
【図２１】実施例７に係るズームレンズ系の望遠端における、像ぶれ補正を行っていない基本状態及び像ぶれ補正状態での横収差図
【図２２】実施の形態８（実施例８）に係るズームレンズ系の無限遠合焦状態を示すレンズ配置図
【図２３】実施例８に係るズームレンズ系の無限遠合焦状態の縦収差図
【図２４】実施例８に係るズームレンズ系の望遠端における、像ぶれ補正を行っていない基本状態及び像ぶれ補正状態での横収差図
【図２５】実施の形態９（実施例９）に係るズームレンズ系の無限遠合焦状態を示すレンズ配置図
【図２６】実施例９に係るズームレンズ系の無限遠合焦状態の縦収差図
【図２７】実施例９に係るズームレンズ系の望遠端における、像ぶれ補正を行っていない基本状態及び像ぶれ補正状態での横収差図
【図２８】実施の形態１０（実施例１０）に係るズームレンズ系の無限遠合焦状態を示すレンズ配置図
【図２９】実施例１０に係るズームレンズ系の無限遠合焦状態の縦収差図
【図３０】実施例１０に係るズームレンズ系の望遠端における、像ぶれ補正を行っていない基本状態及び像ぶれ補正状態での横収差図
【図３１】実施の形態１１（実施例１１）に係るズームレンズ系の無限遠合焦状態を示すレンズ配置図
【図３２】実施例１１に係るズームレンズ系の無限遠合焦状態の縦収差図
【図３３】実施例１１に係るズームレンズ系の望遠端における、像ぶれ補正を行っていない基本状態及び像ぶれ補正状態での横収差図
【図３４】実施の形態１２に係るデジタルスチルカメラの概略構成図
【発明を実施するための形態】
【００１９】
（実施の形態１〜１１）
図１、４、７、１０、１３、１６、１９、２２、２５、２８及び３１は、各々実施の形態１〜１１に係るズームレンズ系のレンズ配置図である。
【００２０】
図１、４、７、１０、１３、１６、１９、２２、２５、２８及び３１は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００２１】
各実施の形態に係るズームレンズ系は、物体側から像側へと順に、負のパワーを有する第１レンズ群Ｇ１と、正のパワーを有する第２レンズ群Ｇ２とを少なくとも備え、ズーミングに際して、少なくとも前記第１レンズ群Ｇ１と第２レンズ群Ｇ２との間隔が変化するように、少なくともこれら第１レンズ群Ｇ１及び第２レンズ群Ｇ２が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００２２】
なお図１、４、７、１０、１３、１６、１９、２２、２５、２８及び３１において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（図１、４、７、１０、１９、２２、２５及び３１：像面Ｓと第４レンズ群Ｇ４の最像側レンズ面との間、図１３及び１６：像面Ｓと第３レンズ群Ｇ３の最像側レンズ面との間、図２８：像面Ｓと第５レンズ群Ｇ５の最像側レンズ面との間）には、光学的ローパスフィルタや撮像素子のフェースプレート等と等価な平行平板Ｐが設けられている。
【００２３】
さらに図１、４、７、１０、１３、１６、２２、２５、２８及び３１において、第２レンズ群Ｇ２の最物体側、すなわち、第１レンズ群Ｇ１と第２レンズ群Ｇ２との間に開口絞りＡが設けられている。図１９において、第２レンズ群Ｇ２中に開口絞りＡが設けられている。
【００２４】
図１に示すように、実施の形態１に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３と、正のパワーを有する第４レンズ群Ｇ４とからなる。
【００２５】
実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第１レンズ素子Ｌ１の像側面には非球面形状を有する樹脂層を付着しており、第２レンズ素子Ｌ２は、その両面が非球面であり、第３レンズ素子Ｌ３は、その両面が非球面である。
【００２６】
実施の形態１に係るズームレンズ系において、第２レンズ群Ｇ２は、物体側から像側へと順に、両凸形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４は、その両面が非球面である。
【００２７】
実施の形態１に係るズームレンズ系において、第３レンズ群Ｇ３は、両凹形状の第７レンズ素子Ｌ７のみからなる。該第７レンズ素子Ｌ７は、その両面が非球面である。
【００２８】
実施の形態１に係るズームレンズ系において、第４レンズ群Ｇ４は、像側に凸面を向けた正メニスカス形状の第８レンズ素子Ｌ８のみからなる。該第８レンズ素子Ｌ８は、その両面が非球面である。
【００２９】
実施の形態１に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第８レンズ素子Ｌ８との間）には、平行平板Ｐが設けられている。
【００３０】
実施の形態１に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動し、第４レンズ群は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が一旦減少し、その後増大し、第３レンズ群Ｇ３と第４レンズ群Ｇ４との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００３１】
実施の形態１に係るズームレンズ系において、無限遠合焦状態から近接物体合焦状態へのフォーカシングの際に、第３レンズ群Ｇ３は、光軸に沿って像側へ移動する。
【００３２】
実施の形態１に係るズームレンズ系において、第２レンズ群Ｇ２が後述する退避レンズ群に相当し、該第２レンズ群Ｇ２は、沈胴時に撮像時とは異なる軸に沿って退避する。
【００３３】
実施の形態１に係るズームレンズ系において、第３レンズ群Ｇ３を光軸に直交する方向に移動させることによって、全系の振動による像点移動を補正する、すなわち、手ぶれ、振動等による像のぶれを光学的に補正することができる。
【００３４】
図４に示すように、実施の形態２に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３と、正のパワーを有する第４レンズ群Ｇ４とからなる。
【００３５】
実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【００３６】
実施の形態２に係るズームレンズ系において、第２レンズ群Ｇ２は、物体側から像側へと順に、両凸形状の第４レンズ素子Ｌ４と、両凹形状の第５レンズ素子Ｌ５と、物体側に凸面を向けた正メニスカス形状の第６レンズ素子Ｌ６とからなる。これらのうち、第４レンズ素子Ｌ４と第５レンズ素子Ｌ５とは接合されている。また第６レンズ素子Ｌ６は、その両面が非球面である。
【００３７】
実施の形態２に係るズームレンズ系において、第３レンズ群Ｇ３は、物体側に凸面を向けた負メニスカス形状の第７レンズ素子Ｌ７のみからなる。該第７レンズ素子Ｌ７は、その両面が非球面である。
【００３８】
実施の形態２に係るズームレンズ系において、第４レンズ群Ｇ４は、両凸形状の第８レンズ素子Ｌ８のみからなる。該第８レンズ素子Ｌ８は、その両面が非球面である。
【００３９】
実施の形態２に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第８レンズ素子Ｌ８との間）には、平行平板Ｐが設けられている。
【００４０】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動し、第４レンズ群は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００４１】
実施の形態２に係るズームレンズ系において、無限遠合焦状態から近接物体合焦状態へのフォーカシングの際に、第３レンズ群Ｇ３は、光軸に沿って像側へ移動する。
【００４２】
実施の形態２に係るズームレンズ系において、第１レンズ群Ｇ１の一部が後述する退避レンズ群に相当し、該第１レンズ群Ｇ１の一部は、沈胴時に撮像時とは異なる軸に沿って退避する。
【００４３】
実施の形態２に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【００４４】
図７に示すように、実施の形態３に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３と、正のパワーを有する第４レンズ群Ｇ４とからなる。
【００４５】
実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【００４６】
実施の形態３に係るズームレンズ系において、第２レンズ群Ｇ２は、物体側から像側へと順に、両凸形状の第４レンズ素子Ｌ４と、像側に凸面を向けた負メニスカス形状の第５レンズ素子Ｌ５と、物体側に凸面を向けた負メニスカス形状の第６レンズ素子Ｌ６とからなる。これらのうち、第４レンズ素子Ｌ４と第５レンズ素子Ｌ５とは接合されている。また第６レンズ素子Ｌ６は、その両面が非球面である。
【００４７】
実施の形態３に係るズームレンズ系において、第３レンズ群Ｇ３は、物体側に凸面を向けた負メニスカス形状の第７レンズ素子Ｌ７のみからなる。該第７レンズ素子Ｌ７は、その両面が非球面である。
【００４８】
実施の形態３に係るズームレンズ系において、第４レンズ群Ｇ４は、物体側から像側へと順に、両凸形状の第８レンズ素子Ｌ８と、像側に凸面を向けた負メニスカス形状の第９レンズ素子Ｌ９とからなる。これら第８レンズ素子Ｌ８と第９レンズ素子Ｌ９とは接合されている。また第８レンズ素子Ｌ８は、その物体側面が非球面である。
【００４９】
実施の形態３に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第９レンズ素子Ｌ９との間）には、平行平板Ｐが設けられている。
【００５０】
実施の形態３に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動し、第４レンズ群は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００５１】
実施の形態３に係るズームレンズ系において、無限遠合焦状態から近接物体合焦状態へのフォーカシングの際に、第３レンズ群Ｇ３は、光軸に沿って像側へ移動する。
【００５２】
実施の形態３に係るズームレンズ系において、第１レンズ群Ｇ１の一部が後述する退避レンズ群に相当し、該第１レンズ群Ｇ１の一部は、沈胴時に撮像時とは異なる軸に沿って退避する。
【００５３】
実施の形態３に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【００５４】
図１０に示すように、実施の形態４に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３と、正のパワーを有する第４レンズ群Ｇ４とからなる。
【００５５】
実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【００５６】
実施の形態４に係るズームレンズ系において、第２レンズ群Ｇ２は、物体側から像側へと順に、両凸形状の第４レンズ素子Ｌ４と、像側に凸面を向けた負メニスカス形状の第５レンズ素子Ｌ５と、物体側に凸面を向けた負メニスカス形状の第６レンズ素子Ｌ６とからなる。これらのうち、第４レンズ素子Ｌ４と第５レンズ素子Ｌ５とは接合されている。また第６レンズ素子Ｌ６は、その両面が非球面である。
【００５７】
実施の形態４に係るズームレンズ系において、第３レンズ群Ｇ３は、物体側に凸面を向けた負メニスカス形状の第７レンズ素子Ｌ７のみからなる。該第７レンズ素子Ｌ７は、その両面が非球面である。
【００５８】
実施の形態４に係るズームレンズ系において、第４レンズ群Ｇ４は、両凸形状の第８レンズ素子Ｌ８のみからなる。該第８レンズ素子Ｌ８は、その両面が非球面である。
【００５９】
実施の形態４に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第８レンズ素子Ｌ８との間）には、平行平板Ｐが設けられている。
【００６０】
実施の形態４に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動し、第４レンズ群は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００６１】
実施の形態４に係るズームレンズ系において、無限遠合焦状態から近接物体合焦状態へのフォーカシングの際に、第３レンズ群Ｇ３は、光軸に沿って像側へ移動する。
【００６２】
実施の形態４に係るズームレンズ系において、第１レンズ群Ｇ１の一部が後述する退避レンズ群に相当し、該第１レンズ群Ｇ１の一部は、沈胴時に撮像時とは異なる軸に沿って退避する。
【００６３】
実施の形態４に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【００６４】
図１３に示すように、実施の形態５に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とからなる。
【００６５】
実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【００６６】
実施の形態５に係るズームレンズ系において、第２レンズ群Ｇ２は、物体側から像側へと順に、両凸形状の第４レンズ素子Ｌ４と、像側に凸面を向けた負メニスカス形状の第５レンズ素子Ｌ５と、物体側に凸面を向けた負メニスカス形状の第６レンズ素子Ｌ６とからなる。これらのうち、第４レンズ素子Ｌ４と第５レンズ素子Ｌ５とは接合されている。また第６レンズ素子Ｌ６は、その両面が非球面である。
【００６７】
実施の形態５に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【００６８】
実施の形態５に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第７レンズ素子Ｌ７との間）には、平行平板Ｐが設けられている。
【００６９】
実施の形態５に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００７０】
実施の形態５に係るズームレンズ系において、無限遠合焦状態から近接物体合焦状態へのフォーカシングの際に、第３レンズ群Ｇ３は、光軸に沿って物体側へ移動する。
【００７１】
実施の形態５に係るズームレンズ系において、第２レンズ群Ｇ２が後述する退避レンズ群に相当し、該第２レンズ群Ｇ２は、沈胴時に撮像時とは異なる軸に沿って退避する。
【００７２】
実施の形態５に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【００７３】
図１６に示すように、実施の形態６に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３とからなる。
【００７４】
実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【００７５】
実施の形態６に係るズームレンズ系において、第２レンズ群Ｇ２は、物体側から像側へと順に、両凸形状の第４レンズ素子Ｌ４と、両凹形状の第５レンズ素子Ｌ５と、像側に凸面を向けた正メニスカス形状の第６レンズ素子Ｌ６とからなる。これらのうち、第４レンズ素子Ｌ４と第５レンズ素子Ｌ５とは接合されている。また第６レンズ素子Ｌ６は、その両面が非球面である。
【００７６】
実施の形態６に係るズームレンズ系において、第３レンズ群Ｇ３は、像側に凸面を向けた負メニスカス形状の第７レンズ素子Ｌ７のみからなる。該第７レンズ素子Ｌ７は、その両面が非球面である。
【００７７】
実施の形態６に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第７レンズ素子Ｌ７との間）には、平行平板Ｐが設けられている。
【００７８】
実施の形態６に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００７９】
実施の形態６に係るズームレンズ系において、無限遠合焦状態から近接物体合焦状態へのフォーカシングの際に、第３レンズ群Ｇ３は、光軸に沿って像側へ移動する。
【００８０】
実施の形態６に係るズームレンズ系において、第２レンズ群Ｇ２が後述する退避レンズ群に相当し、該第２レンズ群Ｇ２は、沈胴時に撮像時とは異なる軸に沿って退避する。
【００８１】
実施の形態６に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【００８２】
図１９に示すように、実施の形態７に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、負のパワーを有する第４レンズ群Ｇ４とからなる。
【００８３】
実施の形態７に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【００８４】
実施の形態７に係るズームレンズ系において、第２レンズ群Ｇ２は、物体側から像側へと順に、物体側に凸面を向けた正メニスカス形状の第４レンズ素子Ｌ４と、両凸形状の第５レンズ素子Ｌ５と、両凹形状の第６レンズ素子Ｌ６と、両凸形状の第７レンズ素子Ｌ７とからなる。これらのうち、第５レンズ素子Ｌ５と第６レンズ素子Ｌ６とは接合されている。また第５レンズ素子Ｌ５は、その物体側面が非球面である。
【００８５】
実施の形態７に係るズームレンズ系において、第３レンズ群Ｇ３は、像側に凸面を向けた正メニスカス形状の第８レンズ素子Ｌ８のみからなる。該第８レンズ素子Ｌ８は、その両面が非球面である。
【００８６】
実施の形態７に係るズームレンズ系において、第４レンズ群Ｇ４は、像側に凸面を向けた負メニスカス形状の第９レンズ素子Ｌ９のみからなる。該第９レンズ素子Ｌ９は、その両面が非球面である。
【００８７】
実施の形態７に係るズームレンズ系において、第４レンズ素子Ｌ４と第５レンズ素子Ｌ５との間には、開口絞りＡが設けられており、像面Ｓの物体側（像面Ｓと第９レンズ素子Ｌ９との間）には、平行平板Ｐが設けられている。
【００８８】
実施の形態７に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動し、第４レンズ群Ｇ４は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が、一旦減少し、その後増大し、第３レンズ群Ｇ３と第４レンズ群Ｇ４との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００８９】
実施の形態７に係るズームレンズ系において、無限遠合焦状態から近接物体合焦状態へのフォーカシングの際に、第３レンズ群Ｇ３は、光軸に沿って物体側へ移動する。
【００９０】
実施の形態７に係るズームレンズ系において、第２レンズ群Ｇ２が後述する退避レンズ群に相当し、該第２レンズ群Ｇ２は、沈胴時に撮像時とは異なる軸に沿って退避する。
【００９１】
実施の形態７に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【００９２】
図２２に示すように、実施の形態８に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３と、負のパワーを有する第４レンズ群Ｇ４とからなる。
【００９３】
実施の形態８に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【００９４】
実施の形態８に係るズームレンズ系において、第２レンズ群Ｇ２は、物体側から像側へと順に、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とは接合されている。また第６レンズ素子Ｌ６は、その両面が非球面である。
【００９５】
実施の形態８に係るズームレンズ系において、第３レンズ群Ｇ３は、像側に凸面を向けた負メニスカス形状の第７レンズ素子Ｌ７のみからなる。該第７レンズ素子Ｌ７は、その両面が非球面である。
【００９６】
実施の形態８に係るズームレンズ系において、第４レンズ群Ｇ４は、像側に凸面を向けた負メニスカス形状の第８レンズ素子Ｌ８のみからなる。該第８レンズ素子Ｌ８は、その両面が非球面である。
【００９７】
実施の形態８に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第８レンズ素子Ｌ８との間）には、平行平板Ｐが設けられている。
【００９８】
実施の形態８に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動し、第４レンズ群Ｇ４は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【００９９】
実施の形態８に係るズームレンズ系において、無限遠合焦状態から近接物体合焦状態へのフォーカシングの際に、第３レンズ群Ｇ３は、光軸に沿って像側へ移動する。
【０１００】
実施の形態８に係るズームレンズ系において、第２レンズ群Ｇ２が後述する退避レンズ群に相当し、該第２レンズ群Ｇ２は、沈胴時に撮像時とは異なる軸に沿って退避する。
【０１０１】
実施の形態８に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【０１０２】
図２５に示すように、実施の形態９に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、正のパワーを有する第４レンズ群Ｇ４とからなる。
【０１０３】
実施の形態９に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【０１０４】
実施の形態９に係るズームレンズ系において、第２レンズ群Ｇ２は、物体側から像側へと順に、両凸形状の第４レンズ素子Ｌ４と、像側に凸面を向けた負メニスカス形状の第５レンズ素子Ｌ５と、物体側に凸面を向けた負メニスカス形状の第６レンズ素子Ｌ６とからなる。これらのうち、第４レンズ素子Ｌ４と第５レンズ素子Ｌ５とは接合されている。また第６レンズ素子Ｌ６は、その両面が非球面である。
【０１０５】
実施の形態９に係るズームレンズ系において、第３レンズ群Ｇ３は、物体側から像側へと順に、像側に凸面を向けた負メニスカス形状の第７レンズ素子Ｌ７と、像側に凸面を向けた正メニスカス形状の第８レンズ素子Ｌ８とからなる。これら第７レンズ素子Ｌ７と第８レンズ素子Ｌ８とは接合されている。
【０１０６】
実施の形態９に係るズームレンズ系において、第４レンズ群Ｇ４は、像側に凸面を向けた正メニスカス形状の第９レンズ素子Ｌ９のみからなる。該第９レンズ素子Ｌ９は、その両面が非球面である。
【０１０７】
実施の形態９に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第９レンズ素子Ｌ９との間）には、平行平板Ｐが設けられている。
【０１０８】
実施の形態９に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、物体側に凸の軌跡を描いて像側へ移動し、第４レンズ群Ｇ４は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が、一旦増加し、その後減少するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【０１０９】
実施の形態９に係るズームレンズ系において、無限遠合焦状態から近接物体合焦状態へのフォーカシングの際に、第３レンズ群Ｇ３は、光軸に沿って物体側へ移動する。
【０１１０】
実施の形態９に係るズームレンズ系において、第１レンズ群Ｇ１の一部が後述する退避レンズ群に相当し、該第１レンズ群Ｇ１の一部は、沈胴時に撮像時とは異なる軸に沿って退避する。
【０１１１】
実施の形態９に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【０１１２】
図２８に示すように、実施の形態１０に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３と、正のパワーを有する第４レンズ群Ｇ４と、負のパワーを有する第５レンズ群Ｇ５とからなる。
【０１１３】
実施の形態１０に係るズームレンズ系において、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２は、その両面が非球面であり、第３レンズ素子Ｌ３は、その両面が非球面である。
【０１１４】
実施の形態１０に係るズームレンズ系において、第２レンズ群Ｇ２は、物体側から像側へと順に、両凸形状の第４レンズ素子Ｌ４と、像側に凸面を向けた負メニスカス形状の第５レンズ素子Ｌ５と、物体側に凸面を向けた負メニスカス形状の第６レンズ素子Ｌ６とからなる。これらのうち、第４レンズ素子Ｌ４と第５レンズ素子Ｌ５とは接合されている。また第６レンズ素子Ｌ６は、その両面が非球面である。
【０１１５】
実施の形態１０に係るズームレンズ系において、第３レンズ群Ｇ３は、物体側に凸面を向けた負メニスカス形状の第７レンズ素子Ｌ７のみからなる。該第７レンズ素子Ｌ７は、その両面が非球面である。
【０１１６】
実施の形態１０に係るズームレンズ系において、第４レンズ群Ｇ４は、両凸形状の第８レンズ素子Ｌ８のみからなる。該第８レンズ素子Ｌ８は、その物体側面が非球面である。
【０１１７】
実施の形態１０に係るズームレンズ系において、第５レンズ群Ｇ５は、像側に凸面を向けた負メニスカス形状の第９レンズ素子Ｌ９のみからなる。
【０１１８】
実施の形態１０に係るズームレンズ系において、第２レンズ群Ｇ２の物体側（第３レンズ素子Ｌ３と第４レンズ素子Ｌ４との間）には、開口絞りＡが設けられており、像面Ｓの物体側（像面Ｓと第９レンズ素子Ｌ９との間）には、平行平板Ｐが設けられている。
【０１１９】
実施の形態１０に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動し、第４レンズ群Ｇ４は、単調に像側へ移動し、第５レンズ群Ｇ５は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が増大し、第４レンズ群Ｇ４と第５レンズ群Ｇ５との間隔が減少するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【０１２０】
実施の形態１０に係るズームレンズ系において、無限遠合焦状態から近接物体合焦状態へのフォーカシングの際に、第３レンズ群Ｇ３は、光軸に沿って像側へ移動する。
【０１２１】
実施の形態１０に係るズームレンズ系において、第１レンズ群Ｇ１の一部が後述する退避レンズ群に相当し、該第１レンズ群Ｇ１の一部は、沈胴時に撮像時とは異なる軸に沿って退避する。
【０１２２】
実施の形態１０に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【０１２３】
図３１に示すように、実施の形態１１に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３と、正のパワーを有する第４レンズ群Ｇ４とからなる。
【０１２４】
実施の形態１１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第１レンズ素子Ｌ１は、その両面が非球面であり、第２レンズ素子Ｌ２は、その両面が非球面である。
【０１２５】
実施の形態１１に係るズームレンズ系において、第２レンズ群Ｇ２は、物体側から像側へと順に、両凸形状の第３レンズ素子Ｌ３と、像側に凸面を向けた負メニスカス形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とは接合されている。また第５レンズ素子Ｌ５は、その両面が非球面である。
【０１２６】
実施の形態１１に係るズームレンズ系において、第３レンズ群Ｇ３は、物体側に凸面を向けた負メニスカス形状の第６レンズ素子Ｌ６のみからなる。該第６レンズ素子Ｌ６は、その両面が非球面である。
【０１２７】
実施の形態１１に係るズームレンズ系において、第４レンズ群Ｇ４は、両凸形状の第７レンズ素子Ｌ７のみからなる。該第７レンズ素子Ｌ７は、その物体側面が非球面である。
【０１２８】
実施の形態１１に係るズームレンズ系において、第２レンズ群Ｇ２の物体側（第２レンズ素子Ｌ２と第３レンズ素子Ｌ３との間）には、開口絞りＡが設けられており、像面Ｓの物体側（像面Ｓと第７レンズ素子Ｌ７との間）には、平行平板Ｐが設けられている。
【０１２９】
実施の形態１１に係るズームレンズ系において、撮像時の広角端から望遠端へのズーミングの際に、第１レンズ群Ｇ１は、像側に凸の軌跡を描いて物体側へ移動し、第２レンズ群Ｇ２は、単調に物体側へ移動し、第３レンズ群Ｇ３は、単調に物体側へ移動し、第４レンズ群Ｇ４は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が増大するように、各レンズ群が光軸に沿ってそれぞれ移動する。また、開口絞りＡは、撮像時の広角端から望遠端へのズーミングの際に、第２レンズ群Ｇ２と一体的に光軸に沿って移動する。
【０１３０】
実施の形態１１に係るズームレンズ系において、無限遠合焦状態から近接物体合焦状態へのフォーカシングの際に、第３レンズ群Ｇ３は、光軸に沿って像側へ移動する。
【０１３１】
実施の形態１１に係るズームレンズ系において、第２レンズ群Ｇ２が後述する退避レンズ群に相当し、該第２レンズ群Ｇ２は、沈胴時に撮像時とは異なる軸に沿って退避する。
【０１３２】
実施の形態１１に係るズームレンズ系において、第２レンズ群Ｇ２を光軸に直交する方向に移動させることによって、全系の振動による像点移動を補正する、すなわち、手ぶれ、振動等による像のぶれを光学的に補正することができる。
【０１３３】
実施の形態１〜１１に係るズームレンズ系では、第１レンズ群Ｇ１が、物体側から像側へと順に、負のパワーを有するレンズ素子と、正のパワーを有し、物体側に凸面を向けたメニスカス形状のレンズ素子とを有しているので、諸収差、特に広角端での歪曲収差を良好に補正しながらも、短いレンズ全長を実現することができる。
【０１３４】
実施の形態１〜１１に係るズームレンズ系では、第１レンズ群Ｇ１が非球面を有するレンズ素子を少なくとも１枚含んでいるので、歪曲収差をさらに良好に補正することができる。また、第１レンズ群Ｇ１が３枚以下のレンズ素子で構成されているので、レンズ素子の総枚数が削減され、レンズ全長が短いレンズ系となっている。
【０１３５】
実施の形態１〜１１に係るズームレンズ系では、第２レンズ群Ｇ２が非球面を有するレンズ素子を少なくとも１枚含んでいるので、諸収差、特に球面収差を良好に補正することができる。
【０１３６】
実施の形態１〜１１に係るズームレンズ系では、第３レンズ群Ｇ３が２枚以下のレンズ素子で構成されているので、レンズ素子の総枚数が削減され、レンズ全長が短いレンズ系となっている。また、無限遠合焦状態から近接物体合焦状態へのフォーカシングの際に、開口絞りＡよりも像側に位置し、２枚以下のレンズ素子からなる第３レンズ群Ｇ３が光軸に沿って移動するので、迅速なフォーカシングが容易に可能であり、特に近接物体合焦状態においても高い光学性能を得ることができる。
【０１３７】
実施の形態１〜１１に係るズームレンズ系では、最像側に位置するレンズ群が２枚以下のレンズ素子で構成されているので、レンズ素子の総枚数が削減され、レンズ全長が短いレンズ系となっている。
【０１３８】
実施の形態１〜１１に係るズームレンズ系では、撮像時の広角端から望遠端へのズーミングの際に、ズームレンズ系を構成するレンズ群のうちの少なくとも３つのレンズ群を光軸に沿ってそれぞれ移動させてズーミングを行うが、これらズームレンズ系を構成するレンズ群のうちのいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正することができる。全系の振動による像点移動を補正する際に、例えば第２レンズ群Ｇ２又は第３レンズ群Ｇ３が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【０１３９】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【０１４０】
以下、例えば実施の形態１〜１１に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【０１４１】
例えば実施の形態１〜４及び１１に係るズームレンズ系のように、少なくとも１枚のレンズ素子で構成されたレンズ群を複数有し、物体側から像側へと順に、負のパワーを有する第１レンズ群と、正のパワーを有する第２レンズ群と、負のパワーを有する第３レンズ群と、正のパワーを有する第４レンズ群とからなり、前記第３レンズ群が、２枚以下のレンズ素子からなり、前記第４レンズ群が、２枚以下のレンズ素子からなり、前記第１レンズ群が、該第１レンズ群を構成するいずれかのレンズ素子間に少なくとも１つの空気間隔を有し、撮像時の広角端から望遠端へのズーミングの際に、前記第１レンズ群が、像面に対して移動する（以下、このレンズ構成を、実施の形態の基本構成Ｉという）ズームレンズ系は、以下の条件（１）’を満足する。また、例えば実施の形態１〜１１に係るズームレンズ系のように、少なくとも１枚のレンズ素子で構成されたレンズ群を複数有し、物体側から像側へと順に、負のパワーを有する第１レンズ群と、正のパワーを有する第２レンズ群と、少なくとも１つの後続レンズ群とからなり、撮像時の広角端から望遠端へのズーミングの際に、前記レンズ群のうち少なくとも３つのレンズ群を光軸に沿ってそれぞれ移動させて変倍を行い、前記後続レンズ群を構成するレンズ群のうち、最像側に位置するレンズ群が、２枚以下のレンズ素子からなり、前記第１レンズ群が、正のパワーを有するレンズ素子と負のパワーを有するレンズ素子とを含む３枚以下のレンズ素子からなり、かつ、該第１レンズ群を構成するいずれかのレンズ素子間に少なくとも１つの空気間隔を有する（以下、このレンズ構成を、実施の形態の基本構成IIという）ズームレンズ系は、以下の条件（１）、（２）及び（３）を満足する。
Ｄａｉｒ／ｆＷ＞０．７５  ・・・（１）
Ｄａｉｒ×ｔａｎ（ωＷ／２）／ｆＧ１＜−０．２３  ・・・（２）
Ｄｂａｃｋ／ｆＷ＜１．５０  ・・・（３）
ここで、
Ｄａｉｒ：第１レンズ群において最物体側に位置する空気間隔、
ｆＷ：広角端における全系の焦点距離、
ωＷ：広角端における最大画角の半値（°）、
ｆＧ１：第１レンズ群の焦点距離、
Ｄｂａｃｋ：全系において最像側に位置するレンズ素子の像側面から像面までの距離
である。
【０１４２】
前記条件（１）は、第１レンズ群におけるレンズ素子間の空気間隔に関する条件である。条件（１）の下限を下回ると、広角端における倍率色収差の補正が困難となる。
【０１４３】
前記条件（２）は、第１レンズ群におけるレンズ素子間の空気間隔に関する条件である。条件（２）の上限を上回ると、広角端における倍率色収差の補正が困難となる。
【０１４４】
前記条件（３）は、ズームレンズ系のバックフォーカスに関する条件である。条件（３）の上限を上回ると、バックフォーカスが大きくなり過ぎ、レンズ全長が長くなってしまう。
【０１４５】
なお、さらに以下の条件（１）’及び（３）’の少なくとも１つを満足することにより、前記効果をさらに奏功させることができる。
Ｄair／ｆW＞０．８５  ・・・（１）’
Ｄback／ｆW＜１．００  ・・・（３）’
【０１４６】
例えば実施の形態１〜４、７〜９及び１１に係るズームレンズ系のように、基本構成Ｉを有し、第１レンズ群が少なくとも１枚の負のパワーを有するレンズ素子と少なくとも１枚の正のパワーを有するレンズ素子とを含むズームレンズ系、又は実施の形態１〜１１に係るズームレンズ系のように、基本構成IIを有するズームレンズ系は、以下の条件（４）を満足することが好ましい。
１５＜ν1n−ν1p＜４０  ・・・（４）
ここで、
ν1n：第１レンズ群に含まれる負のパワーを有するレンズ素子の、ｄ線に対するアッベ数の平均値、
ν1p：第１レンズ群に含まれる正のパワーを有するレンズ素子の、ｄ線に対するアッベ数の平均値
である。
【０１４７】
前記条件（４）は、第１レンズ群に含まれる、負のパワーを有するレンズ素子のアッベ数と、正のパワーを有するレンズ素子のアッベ数との関係を示す条件である。条件（４）の下限を下回ると、広角端で発生する倍率色収差の補正が困難となる。一方、条件（４）の上限を上回ると、負のパワーを有するレンズ素子の屈折率が低くなってしまい、小型化の達成が困難となる。
【０１４８】
なお、さらに以下の条件（４）’及び（４）’’の少なくとも１つを満足することにより、前記効果をさらに奏功させることができる。
２０＜ν1n−ν1p  ・・・（４）’
ν1n−ν1p＜３５  ・・・（４）’’
【０１４９】
例えば実施の形態１〜４、７〜９及び１１に係るズームレンズ系のように、基本構成Ｉを有するズームレンズ系、又は実施の形態１〜１１に係るズームレンズ系のように、基本構成IIを有するズームレンズ系は、以下の条件（５）を満足することが好ましい。
１．４＜√（−ｆG1×ｆG2）／Ｉｒ＜２．０  ・・・（５）
ここで、
ｆG1：第１レンズ群の焦点距離、
ｆG2：第２レンズ群の焦点距離、
Ｉｒ：最大像高（Ｉｒ＝ｆT×ｔａｎ（ωT））、
ｆT：望遠端における全系の焦点距離、
ωT：望遠端における最大画角の半値（°）
である。
【０１５０】
前記条件（５）は、第１レンズ群の焦点距離及び第２レンズ群の焦点距離の条件である。条件（５）の下限を下回ると、第２レンズ群のパワーが強くなり過ぎ、ズーミングに伴う像面湾曲の補正が困難となる。一方、条件（５）の上限を上回ると、第１レンズ群のパワーが弱くなり、広角化を達成することが困難となる。
【０１５１】
例えば実施の形態１〜４、７〜９及び１１に係るズームレンズ系のように、基本構成Ｉを有するズームレンズ系、又は実施の形態１〜１１に係るズームレンズ系のように、基本構成IIを有するズームレンズ系は、以下の条件（６）を満足することが好ましい。
ｎL1＞１．７０  ・・・（６）
ここで、
ｎL1：第１レンズ群において最物体側に位置するレンズ素子のｄ線に対する屈折率
である。
【０１５２】
前記条件（６）は、第１レンズ群において最物体側に位置するレンズ素子、すなわち第１レンズ素子のｄ線に対する屈折率に関する条件である。条件（６）の下限を下回ると、第１レンズ素子の薄型化が困難となることから、レンズ鏡筒のコンパクト化が困難となる。
【０１５３】
なお、さらに以下の条件（６）’を満足することにより、前記効果をさらに奏功させることができる。
ｎL1＞１．８５  ・・・（６）’
【０１５４】
例えば実施の形態１〜４、７〜９及び１１に係るズームレンズ系のように、基本構成Ｉを有するズームレンズ系、又は実施の形態１〜１１に係るズームレンズ系のように、基本構成IIを有するズームレンズ系は、以下の条件（７）を満足することが好ましい。
０．８５＜ＬW／ＬT＜１．１５  ・・・（７）
ここで、
ＬW：広角端におけるレンズ全長（広角端における、第１レンズ群の最物体側レンズ面から像面までの距離）、
ＬT：望遠端におけるレンズ全長（望遠端における、第１レンズ群の最物体側レンズ面から像面までの距離）
である。
【０１５５】
前記条件（７）は、広角端におけるレンズ全長と望遠端におけるレンズ全長との比を規定する条件である。条件（７）の下限を下回ると、第２レンズ群の移動量が大きくなり、レンズ全長が大きくなってしまうため、コンパクトなレンズ鏡筒や撮像装置、カメラを提供することが困難となる。一方、条件（７）の上限を上回ると、第２レンズ群の移動量が小さくなるため、ズーミングに伴う像面湾曲の補正が困難となる。
【０１５６】
例えば実施の形態１〜４、７〜９及び１１に係るズームレンズ系のように、基本構成Ｉを有し、第１レンズ群が少なくとも１枚の負のパワーを有するレンズ素子を含むズームレンズ系、又は実施の形態１〜１１に係るズームレンズ系のように、基本構成IIを有するズームレンズ系は、以下の条件（８）を満足することが好ましい。
Ｄn／√（ｆW×ｆT）＜０．０７０  ・・・（８）
ここで、
Ｄn：第１レンズ群において最像側に位置する負のパワーを有するレンズ素子の中心厚み、
ｆW：広角端における全系の焦点距離、
ｆT：望遠端における全系の焦点距離
である。
【０１５７】
前記条件（８）は、第１レンズ群において最像側に位置する負のパワーを有するレンズ素子の中心厚みに関する条件である。条件（８）の上限を上回ると、第１レンズ群の中心厚みが大きくなり、ズームレンズ系の全長が長くなることから、コンパクトなレンズ鏡筒や撮像装置、カメラを提供することが困難となる。
【０１５８】
なお、さらに以下の条件（８）’を満足することにより、前記効果をさらに奏功させることができる。
Ｄn／√（ｆW×ｆT）＜０．０５５  ・・・（８）’
【０１５９】
例えば実施の形態１〜４、７〜９及び１１に係るズームレンズ系のように、基本構成Ｉを有するズームレンズ系、又は実施の形態１〜１１に係るズームレンズ系のように、基本構成IIを有するズームレンズ系は、以下の条件（９）を満足することが好ましい。
ｎG1ave＞１．８  ・・・（９）
ここで、
ｎG1ave：第１レンズ群を構成するレンズ素子の、ｄ線に対する屈折率の平均値
である。
【０１６０】
前記条件（９）は、第１レンズ群を構成するレンズ素子のｄ線に対する屈折率に関する条件である。条件（９）の下限を下回ると、第１レンズ群の薄型化が困難となることから、レンズ鏡筒のコンパクト化が困難となる。
【０１６１】
例えば実施の形態１〜４、７〜９及び１１に係るズームレンズ系のように、基本構成Ｉを有するズームレンズ系、又は実施の形態１〜１１に係るズームレンズ系のように、基本構成IIを有するズームレンズ系は、以下の条件（１０）を満足することが好ましい。
νG2＞６０  ・・・（１０）
ここで、
νG2：第２レンズ群を構成するレンズ素子の、ｄ線に対するアッベ数の最大値
である。
【０１６２】
前記条件（１０）は、第２レンズ群を構成するレンズ素子のｄ線に対するアッベ数に関する条件である。条件（１０）の下限を下回ると、ズーミングに伴う軸上色収差の変動の制御が困難となる。
【０１６３】
例えば実施の形態１〜４、７〜９及び１１に係るズームレンズ系のように、基本構成Ｉを有するズームレンズ系、又は実施の形態１〜１１に係るズームレンズ系のように、基本構成IIを有するズームレンズ系では、第１レンズ群を構成する一部のレンズ素子又は第２レンズ群が、沈胴時に撮像時とは異なる軸に沿って退避する退避レンズ群であることが好ましい。
【０１６４】
第１レンズ群を構成する一部のレンズ素子又は第２レンズ群を退避レンズ群とし、この退避レンズ群が沈胴時に撮像時とは異なる軸に沿って退避することにより、レンズ鏡筒が伸縮するタイプの沈胴式の撮像装置の薄型化が可能となる。なお、退避レンズ群が第１レンズ群を構成する一部のレンズ素子である場合、退避レンズ群は、第１レンズ群を構成する全レンズ素子のうちのいずれか１枚のレンズ素子又は隣り合った複数のレンズ素子であればよい。
【０１６５】
例えば実施の形態１〜４、７〜９及び１１に係るズームレンズ系のように、基本構成Ｉを有するズームレンズ系、又は実施の形態１〜１１に係るズームレンズ系のように、基本構成IIを有するズームレンズ系では、第１レンズ群において最物体側に位置するレンズ素子、すなわち第１レンズ素子が、物体側に凸の形状を有することが好ましい。
【０１６６】
第１レンズ素子が物体側に凸の形状を有する場合、広角端における非点収差の補正がさらに容易になる。
【０１６７】
なお、実施の形態１〜１１に係るズームレンズ系のように、基本構成IIを有するズームレンズ系では、後続レンズ群を構成するレンズ群の数には特に限定がなく、各々のレンズ群のパワーにも特に限定がない。
【０１６８】
実施の形態１〜１１に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【０１６９】
さらに各実施の形態では、像面Ｓの物体側（像面Ｓと最像側に位置するレンズ群の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【０１７０】
（実施の形態１２）
図３４は、実施の形態１２に係るデジタルスチルカメラの概略構成図である。図３４において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図３４において、ズームレンズ系１は、第１レンズ群Ｇ１と、開口絞りＡと、第２レンズ群Ｇ２と、第３レンズ群Ｇ３と、第４レンズ群Ｇ４とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１７１】
鏡筒は、主鏡筒５と、移動鏡筒６と、円筒カム７とで構成されている。円筒カム７を回転させると、第１レンズ群Ｇ１、開口絞りＡと第２レンズ群Ｇ２、第３レンズ群Ｇ３及び第４レンズ群Ｇ４が撮像素子２を基準にした所定の位置に移動し、広角端から望遠端までのズーミングを行うことができる。第３レンズ群Ｇ３はフォーカス調整用モータにより光軸方向に移動可能である。
【０１７２】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図３４に示したデジタルスチルカメラには、実施の形態１に係るズームレンズ系の替わりに実施の形態２〜１１に係るズームレンズ系のいずれかを用いてもよい。また、図３４に示したデジタルスチルカメラの光学系は、動画像を対象とするデジタルビデオカメラに用いることもできる。この場合、静止画像だけでなく、解像度の高い動画像を撮影することができる。
【０１７３】
なお、本実施の形態１２に係るデジタルスチルカメラでは、ズームレンズ系１として実施の形態１〜１１に係るズームレンズ系を示したが、これらのズームレンズ系は、全てのズーミング域を使用する必要はない。すなわち、所望のズーミング域に応じて、光学性能が確保されている範囲を切り出し、実施の形態１〜１１で説明したズームレンズ系よりも低倍率のズームレンズ系として使用してもよい。
【０１７４】
さらに、実施の形態１２では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態１２において、第２レンズ群Ｇ２全体、第３レンズ群Ｇ３全体、第４レンズ群Ｇ４全体、第１レンズ群Ｇ１の一部、第２レンズ群Ｇ２の一部、第３レンズ群Ｇ３の一部等のズームレンズ系を構成している一部のレンズ群を、沈胴時に光軸上から退避させる、いわゆるスライディング鏡筒にズームレンズ系を適用してもよい。
【０１７５】
また、以上説明した実施の形態１〜１１に係るズームレンズ系と、ＣＣＤやＣＭＯＳ等の撮像素子とから構成される撮像装置を、スマートフォン等の携帯情報端末、監視システムにおける監視カメラ、Ｗｅｂカメラ、車載カメラ等に適用することもできる。
【０１７６】
以下、実施の形態１〜１１に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
0005676505.tif 000002
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１７７】
図２、５、８、１１、１４、１７、２０、２３、２６、２９及び３２は、各々数値実施例１〜１１に係るズームレンズ系の無限遠合焦状態の縦収差図である。
【０１７８】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）、一点鎖線はｇ線（ｇ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１７９】
また図３、６、９、１２、１５、１８、２１、２４、２７、３０及び３３は、各々数値実施例１〜１１に係るズームレンズ系の望遠端における横収差図である。
【０１８０】
各横収差図において、上段３つの収差図は、望遠端における像ぶれ補正を行っていない基本状態、下段３つの収差図は、第２レンズ群Ｇ２全体（図６、９、１２、１５、１８、２１、２４、２７、３０及び３３）又は第３レンズ群Ｇ３全体（図３）を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）、一点破線はｇ線（ｇ−ｌｉｎｅ）の特性である。なお各横収差図において、メリディオナル平面を、第１レンズ群Ｇ１の光軸と第２レンズ群Ｇ２の光軸とを含む平面（図６、９、１２、１５、１８、２１、２４、２７、３０及び３３）又は第１レンズ群Ｇ１の光軸と第３レンズ群Ｇ３の光軸とを含む平面（図３）としている。
【０１８１】
なお、各数値実施例のズームレンズ系について、望遠端における、像ぶれ補正状態での第２レンズ群Ｇ２又は第３レンズ群Ｇ３の光軸と垂直な方向への移動量は、以下に示すとおりである。
数値実施例１    Ｇ３：０．１５５ｍｍ
数値実施例２    Ｇ２：０．０４５ｍｍ
数値実施例３    Ｇ２：０．０５１ｍｍ
数値実施例４    Ｇ２：０．０４７ｍｍ
数値実施例５    Ｇ２：０．０５５ｍｍ
数値実施例６    Ｇ２：０．０４６ｍｍ
数値実施例７    Ｇ２：０．０５０ｍｍ
数値実施例８    Ｇ２：０．０４６ｍｍ
数値実施例９    Ｇ２：０．０５２ｍｍ
数値実施例１０  Ｇ２：０．０５１ｍｍ
数値実施例１１  Ｇ２：０．０５０ｍｍ
【０１８２】
撮影距離が∞で望遠端において、ズームレンズ系が０．６°だけ傾いた場合の像偏心量は、第２レンズ群Ｇ２全体又は第３レンズ群Ｇ３全体が光軸と垂直な方向に上記の各値だけ平行移動するときの像偏心量に等しい。
【０１８３】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．６°までの像ぶれ補正角に対して、結像特性を低下させることなく充分な像ぶれ補正を行うことが可能である。
【０１８４】
（数値実施例１）
数値実施例１のズームレンズ系は、図１に示した実施の形態１に対応する。数値実施例１のズームレンズ系の面データを表１に、非球面データを表２に、各種データを表３に示す。
【０１８５】
表  １（面データ）
面番号         r           d           nd         vd
物面             ∞
1         24.95170     0.30000     1.88300    40.8 
2          5.97120     0.19790     1.51358    51.6 
3*         5.38700     3.56040 
4*        59.29000     0.30000     1.80470    41.0 
5*         7.01370     0.75080 
6*         6.67500     1.49080     2.10200    16.8 
7*         9.91070        可変
8(絞り)           ∞    -0.20000
9*         4.26530     1.12310     1.51845    70.0 
10*       -17.07830     1.17920 
11          6.02700     0.30000     2.00272    19.3 
12          3.90690     0.50390 
13         11.83620     1.41390     1.49700    81.6 
14         -5.96210        可変
15*       -29.00760     0.30000     1.51845    70.0 
16*         8.02080        可変
17*       -14.96380     1.00170     1.63550    23.9 
18*        -5.98480     0.31000 
19               ∞     0.60000     1.51680    64.2
20               ∞        (BF)
像面             ∞
【０１８６】
表  ２（非球面データ）
第3面
K= 0.00000E+00, A4=-7.86733E-04, A6= 7.82599E-06, A8=-1.84746E-06
A10= 5.79516E-08, A12=-1.03121E-09, A14= 0.00000E+00 
第4面
K= 0.00000E+00, A4=-4.94021E-04, A6= 5.31701E-05, A8=-2.00273E-06
A10= 3.38548E-08, A12=-3.13398E-10, A14= 0.00000E+00 
第5面
K= 0.00000E+00, A4= 1.27038E-04, A6= 1.48811E-04, A8= 6.14678E-06
A10=-9.91045E-07, A12= 2.57315E-08, A14=-2.43944E-10 
第6面
K= 0.00000E+00, A4=-1.08448E-03, A6= 1.82487E-04, A8=-1.15643E-05
A10= 2.21533E-08, A12= 2.58121E-08, A14=-6.00630E-10 
第7面
K= 0.00000E+00, A4=-1.23095E-03, A6= 2.16235E-04, A8=-3.59700E-05
A10= 3.26910E-06, A12=-1.47410E-07, A14= 3.13837E-09 
第9面
K= 2.25834E+00, A4=-4.34026E-03, A6=-9.18776E-04, A8= 1.48894E-04
A10=-4.11546E-05, A12= 0.00000E+00, A14= 0.00000E+00 
第10面
K= 0.00000E+00, A4= 1.76847E-03, A6=-1.68468E-04, A8= 5.83587E-05
A10=-5.32039E-06, A12= 0.00000E+00, A14= 0.00000E+00 
第15面
K= 0.00000E+00, A4=-6.45503E-03, A6= 8.85654E-04, A8=-9.70663E-05
A10= 6.65580E-06, A12= 0.00000E+00, A14= 0.00000E+00 
第16面
K= 0.00000E+00, A4=-5.73196E-03, A6= 8.40853E-04, A8=-9.10932E-05
A10= 5.19715E-06, A12= 0.00000E+00, A14= 0.00000E+00 
第17面
K= 0.00000E+00, A4= 7.12216E-03, A6=-7.52511E-04, A8= 4.63397E-05
A10=-9.81215E-07, A12= 0.00000E+00, A14= 0.00000E+00 
第18面
K= 0.00000E+00, A4= 1.44194E-02, A6=-1.53053E-03, A8= 8.93429E-05
A10=-1.84212E-06, A12= 0.00000E+00, A14= 0.00000E+00 
【０１８７】
表  ３（各種データ）
ズーム比     4.61717
広角      中間      望遠
焦点距離       2.8500    5.9056   13.1588
Ｆナンバー     3.03406   4.49182   7.17697
画角        90.0000   36.0000   16.3000
像高         3.9352    3.9443    3.8988
レンズ全長     28.0658   26.2939   28.8187
ＢＦ        0.55607   0.53492   0.46556
d7           9.9567    4.4226    0.5000 
d14          3.0353    2.6460    4.6500 
d16          1.3860    5.5587   10.0714 
ズームレンズ群データ
群 始面 焦点距離
1       1      -5.59677
2       8       6.06499
3      15     -12.08615
4      17      15.04245
【０１８８】
（数値実施例２）
数値実施例２のズームレンズ系は、図４に示した実施の形態２に対応する。数値実施例２のズームレンズ系の面データを表４に、非球面データを表５に、各種データを表６に示す。
【０１８９】
表  ４（面データ）
面番号         r           d           nd         vd
物面             ∞
1         16.96880     0.30000     1.88300    40.8 
2          5.55010     3.08350 
3*        14.29260     0.30000     1.80470    41.0 
4*         4.98950     0.71300 
5*         6.71340     1.21390     2.10200    16.8 
6*        10.36480        可変
7(絞り)           ∞    -0.20000
8          3.49180     2.28640     1.59282    68.6 
9        -31.73070     0.30000     1.92286    20.9 
10         12.55860     0.63490 
11*         3.66220     1.38520     1.52996    55.8 
12*         5.74240        可変
13*       155.49560     0.60000     1.52996    55.8 
14*         9.21920        可変
15*        14.29040     1.49810     1.52996    55.8 
16*      -102.11730     0.31000 
17               ∞     0.60000     1.51680    64.2
18               ∞        (BF)
像面             ∞
【０１９０】
表  ５（非球面データ）
第3面
K= 0.00000E+00, A4=-5.91053E-03, A6= 4.63798E-04, A8=-1.74940E-05
A10= 2.80931E-07, A12=-1.12497E-09, A14= 0.00000E+00, A16= 0.00000E+00 
第4面
K= 0.00000E+00, A4=-6.35440E-03, A6= 4.88135E-04, A8=-1.43335E-05
A10= 2.88384E-08, A12= 0.00000E+00, A14= 0.00000E+00, A16= 0.00000E+00 
第5面
K= 0.00000E+00, A4=-9.12399E-04, A6= 1.35279E-04, A8=-9.31433E-06
A10= 3.43006E-07, A12=-2.70180E-08, A14= 1.45751E-09, A16=-2.37096E-11 
第6面
K= 0.00000E+00, A4=-1.20200E-03, A6= 1.87008E-04, A8=-1.66621E-05
A10= 4.91911E-07, A12=-1.88264E-09, A14= 0.00000E+00, A16= 0.00000E+00 
第11面
K= 0.00000E+00, A4=-2.66376E-03, A6=-1.25721E-03, A8= 1.04137E-04
A10=-6.08179E-05, A12= 9.47513E-07, A14= 0.00000E+00, A16= 0.00000E+00 
第12面
K= 0.00000E+00, A4= 8.50004E-03, A6=-4.77807E-04, A8=-1.92535E-04
A10=-6.07938E-07, A12=-7.59309E-20, A14= 0.00000E+00, A16= 0.00000E+00 
第13面
K= 0.00000E+00, A4=-1.18707E-02, A6= 1.92585E-03, A8=-1.29997E-04
A10= 3.70505E-06, A12= 3.42510E-17, A14= 0.00000E+00, A16= 0.00000E+00 
第14面
K= 0.00000E+00, A4=-1.36776E-02, A6= 1.99858E-03, A8=-1.25367E-04
A10= 3.31774E-06, A12=-3.97699E-17, A14= 0.00000E+00, A16= 0.00000E+00 
第15面
K= 0.00000E+00, A4=-3.50205E-03, A6= 2.12501E-04, A8= 2.63673E-06
A10=-2.15279E-07, A12= 0.00000E+00, A14= 0.00000E+00, A16= 0.00000E+00 
第16面
K= 0.00000E+00, A4=-1.48131E-03, A6=-1.18044E-04, A8= 2.00534E-05
A10=-5.58704E-07, A12= 0.00000E+00, A14= 0.00000E+00, A16= 0.00000E+00 
【０１９１】
表  ６（各種データ）
ズーム比     4.67132
広角      中間      望遠
焦点距離       3.3420    7.2113   15.6116
Ｆナンバー     3.05834   4.37173   7.19304
画角        67.8414   30.7707   14.6885
像高         3.5200    3.8000    3.9020
レンズ全長     27.5039   24.1234   28.0039
ＢＦ        0.48794   0.53890   0.50413
d6          10.5789    3.7407    0.5000 
d12          2.2918    5.0442   11.1166 
d14          1.6082    2.3135    3.3623
ズームレンズ群データ
群    始面      焦点距離
1       1      -6.31874
2       7       6.25155
3      13     -18.51874
4      15      23.76070
【０１９２】
（数値実施例３）
数値実施例３のズームレンズ系は、図７に示した実施の形態３に対応する。数値実施例３のズームレンズ系の面データを表７に、非球面データを表８に、各種データを表９に示す。
【０１９３】
表  ７（面データ）
面番号         r           d           nd         vd
物面             ∞
1         15.92990     0.30000     1.88300    40.8 
2          6.16090     3.66520 
3*        33.52420     0.30000     1.80470    41.0 
4*         6.99910     0.63410 
5*         7.87720     1.29430     2.10200    16.8 
6*        12.47920        可変
7(絞り)           ∞    -0.20000
8          3.56740     2.90590     1.51680    64.2 
9         -6.08160     0.40000     2.00272    19.3 
10        -12.15830     0.15000 
11*         2.85300     0.75420     1.52996    55.8 
12*         2.34350        可変
13*         5.24350     0.60000     1.52996    55.8 
14*         3.83940        可変
15*        25.96540     1.42740     1.75501    51.2 
16        -24.14760     0.50000     1.49700    81.6 
17        -50.00000     0.31000 
18               ∞     0.60000     1.51680    64.2
19               ∞        (BF)
像面             ∞
【０１９４】
表  ８（非球面データ）
第3面
K= 0.00000E+00, A4=-3.20238E-03, A6= 2.17658E-04, A8=-6.31363E-06
A10= 6.74808E-08, A12= 0.00000E+00, A14= 0.00000E+00, A16= 0.00000E+00 
第4面
K= 0.00000E+00, A4=-2.86474E-03, A6= 2.03332E-04, A8=-3.97350E-06
A10= 4.16378E-09, A12= 0.00000E+00, A14= 0.00000E+00, A16= 0.00000E+00 
第5面
K= 0.00000E+00, A4=-3.16879E-04, A6= 6.75792E-05, A8=-6.36942E-06
A10= 4.58581E-07, A12=-3.11896E-08, A14= 1.16039E-09, A16=-1.56980E-11 
第6面
K= 0.00000E+00, A4=-6.39966E-04, A6= 1.03040E-04, A8=-7.80486E-06
A10= 1.78116E-07, A12=-1.32873E-10, A14= 0.00000E+00, A16= 0.00000E+00 
第11面
K= 0.00000E+00, A4=-6.83493E-03, A6=-1.67841E-03, A8=-3.04730E-04
A10=-2.98412E-06, A12= 9.47513E-07, A14= 0.00000E+00, A16= 0.00000E+00 
第12面
K= 0.00000E+00, A4=-3.62109E-03, A6=-1.97182E-03, A8=-7.75409E-04
A10= 5.84871E-05, A12= 0.00000E+00, A14= 0.00000E+00, A16= 0.00000E+00 
第13面
K= 0.00000E+00, A4=-1.48948E-02, A6= 1.54731E-03, A8=-1.52913E-04
A10= 1.01043E-05, A12= 0.00000E+00, A14= 0.00000E+00, A16= 0.00000E+00 
第14面
K= 0.00000E+00, A4=-1.79860E-02, A6= 1.79049E-03, A8=-1.86020E-04
A10= 1.01395E-05, A12= 0.00000E+00, A14= 0.00000E+00, A16= 0.00000E+00 
第15面
K= 0.00000E+00, A4=-3.52868E-04, A6= 4.73256E-05, A8=-1.50508E-06
A10= 1.41800E-08, A12= 0.00000E+00, A14= 0.00000E+00, A16= 0.00000E+00 
【０１９５】
表  ９（各種データ）
ズーム比     5.53872
広角      中間      望遠
焦点距離       3.3499    7.8785   18.5539
Ｆナンバー     2.47058   3.77635   7.02377
画角        65.6913   27.6256   11.9865
像高         3.5200    3.8000    3.9020
レンズ全長     29.5039   25.5863   32.0039
ＢＦ        0.49765   0.52454   0.44171
d6          11.9088    3.8006    0.5000 
d12          2.3540    3.5680    4.5000 
d14          1.6000    4.5766   13.3628 
ズームレンズ群データ
群    始面      焦点距離
1       1      -7.56442
2       7       6.75490
3      13     -31.75509
4      15      20.37337
【０１９６】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１９７】
表  １０（面データ）
面番号         r           d           nd         vd
物面             ∞
1         13.06580     0.30000     1.72916    54.7 
2          6.60210     4.02080 
3*        23.67100     0.30000     1.80470    41.0 
4*         5.23110     1.56360 
5*         7.19190     1.25730     2.10200    16.8 
6*         9.75180        可変
7(絞り)           ∞    -0.20000
8          3.65290     2.18740     1.59282    68.6 
9        -10.93020     0.40000     2.00272    19.3 
10        -51.35420     0.59210 
11*         2.91790     0.60000     1.52996    55.8 
12*         2.61970        可変
13*        11.99750     0.60000     1.52996    55.8 
14*         5.16180        可変
15*        22.10420     2.00750     1.52996    55.8 
16*       -11.51170     0.31000 
17               ∞     0.60000     1.51680    64.2
18               ∞        (BF)
像面             ∞
【０１９８】
表  １１（非球面データ）
第3面
K= 0.00000E+00, A4= 2.79856E-03, A6=-1.98888E-04, A8= 5.63360E-06
A10=-6.21223E-08, A12= 0.00000E+00, A14= 0.00000E+00, A16= 0.00000E+00 
第4面
K= 0.00000E+00, A4= 2.22228E-03, A6=-1.11329E-05, A8=-8.09093E-06
A10= 1.70162E-07, A12= 0.00000E+00, A14= 0.00000E+00, A16= 0.00000E+00 
第5面
K= 0.00000E+00, A4=-1.68045E-03, A6= 1.46077E-04, A8=-8.56592E-06
A10= 4.90128E-07, A12=-3.07393E-08, A14= 9.71477E-10, A16=-1.15641E-11 
第6面
K= 0.00000E+00, A4=-1.78520E-03, A6= 1.20333E-04, A8=-5.89848E-06
A10= 1.13054E-07, A12=-1.81665E-09, A14= 0.00000E+00, A16= 0.00000E+00 
第11面
K= 0.00000E+00, A4=-4.48727E-03, A6=-1.10044E-03, A8=-4.86559E-04
A10= 7.62243E-06, A12= 9.47513E-07, A14= 0.00000E+00, A16= 0.00000E+00 
第12面
K= 0.00000E+00, A4= 2.05677E-03, A6=-7.60393E-05, A8=-1.02036E-03
A10= 1.05782E-04, A12= 0.00000E+00, A14= 0.00000E+00, A16= 0.00000E+00 
第13面
K= 0.00000E+00, A4=-1.72924E-02, A6= 3.53661E-03, A8=-2.40979E-04
A10= 9.59981E-06, A12= 0.00000E+00, A14= 0.00000E+00, A16= 0.00000E+00 
第14面
K= 0.00000E+00, A4=-1.77426E-02, A6= 3.72318E-03, A8=-3.31950E-04
A10= 1.60010E-05, A12= 0.00000E+00, A14= 0.00000E+00, A16= 0.00000E+00 
第15面
K= 0.00000E+00, A4=-3.36741E-03, A6= 3.91024E-04, A8=-1.46777E-05
A10= 2.12339E-07, A12= 0.00000E+00, A14= 0.00000E+00, A16= 0.00000E+00 
第16面
K= 0.00000E+00, A4=-5.18975E-03, A6= 7.71201E-04, A8=-3.63196E-05
A10= 5.98712E-07, A12= 0.00000E+00, A14= 0.00000E+00, A16= 0.00000E+00 
【０１９９】
表  １２（各種データ）
ズーム比     5.53457
広角      中間      望遠
焦点距離       3.4000    7.9307   18.8178
Ｆナンバー     2.48054   3.84164   7.16168
画角        51.0699   26.3652   11.7549
像高         3.4200    3.9020    3.9020
レンズ全長     30.0040   26.4244   32.5040
ＢＦ        0.49431   0.52508   0.45673
d6          11.5653    3.8226    0.5000 
d12          2.3000    3.1791    4.5000 
d14          1.6000    4.8840   12.9653 
ズームレンズ群データ
群    始面      焦点距離
1       1      -7.40721
2       7       6.43619
3      13     -17.63092
4      15      14.58493
【０２００】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０２０１】
表  １３（面データ）
面番号         r           d           nd         vd
物面             ∞
1         36.33560     0.30000     1.72916    54.7 
2          6.67200     3.43650 
3*      2000.00000     0.30000     1.80470    41.0 
4*         9.11690     0.91000 
5*         7.77020     1.33740     2.10200    16.8 
6*        11.54640        可変
7(絞り)           ∞    -0.20000
8          4.09230     2.45320     1.59282    68.6 
9         -8.67900     0.40000     2.00272    19.3 
10        -14.18120     0.15000 
11*         3.94410     0.60000     1.60690    27.0 
12*         2.75130        可変
13*      -319.34020     1.10090     1.52996    55.8 
14*       -14.47350        可変
15               ∞     0.60000     1.51680    64.2
16               ∞        (BF)
像面             ∞
【０２０２】
表  １４（非球面データ）
第3面
K= 0.00000E+00, A4=-6.56376E-04, A6= 1.17944E-04, A8=-4.41215E-06
A10= 4.97553E-08, A12= 0.00000E+00, A14= 0.00000E+00, A16= 0.00000E+00 
第4面
K= 0.00000E+00, A4=-1.68637E-03, A6= 3.01662E-04, A8=-1.17333E-05
A10= 1.54893E-07, A12= 0.00000E+00, A14= 0.00000E+00, A16= 0.00000E+00 
第5面
K= 0.00000E+00, A4=-1.62689E-03, A6= 1.96202E-04, A8=-1.42366E-05
A10= 5.41392E-07, A12=-2.55425E-08, A14= 1.15348E-09, A16=-1.90440E-11 
第6面
K= 0.00000E+00, A4=-1.14278E-03, A6= 1.38776E-04, A8=-1.35566E-05
A10= 4.65604E-07, A12=-4.13472E-09, A14= 0.00000E+00, A16= 0.00000E+00 
第11面
K= 0.00000E+00, A4=-8.66551E-03, A6=-9.32939E-04, A8= 8.25287E-06
A10=-5.43877E-06, A12= 9.47513E-07, A14= 0.00000E+00, A16= 0.00000E+00 
第12面
K= 0.00000E+00, A4=-7.81908E-03, A6=-1.34816E-03, A8= 4.93491E-05
A10=-5.10200E-06, A12= 0.00000E+00, A14= 0.00000E+00, A16= 0.00000E+00 
第13面
K= 0.00000E+00, A4= 1.93926E-03, A6=-3.03323E-04, A8= 1.72439E-05
A10=-2.97228E-07, A12= 0.00000E+00, A14= 0.00000E+00, A16= 0.00000E+00 
第14面
K= 0.00000E+00, A4= 2.76253E-03, A6=-3.67896E-04, A8= 1.81351E-05
A10=-2.60658E-07, A12= 0.00000E+00, A14= 0.00000E+00, A16= 0.00000E+00 
【０２０３】
表  １５（各種データ）
ズーム比     4.65926
広角      中間      望遠
焦点距離       3.3398    7.2019   15.5612
Ｆナンバー     3.01623   4.26483   7.17231
画角        70.1983   30.4911   14.3140
像高         3.5200    3.8000    3.9020
レンズ全長     29.5438   25.9238   32.0040
ＢＦ        0.51963   0.52782   0.50225
d6          11.8558    3.8851    0.5000 
d12          3.7000    7.2529   17.5160 
d14          2.6000    3.3978    2.6000 
ズームレンズ群データ
群    始面      焦点距離
1       1      -7.44612
2       7       7.38658
3      13      28.57138
【０２０４】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０２０５】
表  １６（面データ）
面番号         r           d           nd         vd
物面             ∞
1         17.07440     0.30000     1.77250    49.6 
2          6.51520     4.00620 
3*       585.74590     0.30000     1.80470    41.0 
4*         8.09650     0.77690 
5*         6.48480     1.28600     2.10200    16.8 
6*         8.71100        可変
7(絞り)           ∞    -0.20000
8          3.33860     1.43640     1.59282    68.6 
9        -20.17590     0.40000     2.00272    19.3 
10         51.04960     0.78530 
11*        -5.33630     0.60000     1.52996    55.8 
12*        -4.64510        可変
13*        -5.72090     0.80000     1.52996    55.8 
14*        -9.64030        可変
15               ∞     0.60000     1.51680    64.2
16               ∞        (BF)
像面             ∞
【０２０６】
表  １７（非球面データ）
第3面
K= 0.00000E+00, A4=-7.60374E-04, A6= 9.13481E-05, A8=-3.04337E-06
A10= 3.20084E-08, A12= 0.00000E+00, A14= 0.00000E+00, A16= 0.00000E+00 
第4面
K= 0.00000E+00, A4=-1.68637E-03, A6= 3.01662E-04, A8=-1.17333E-05
A10= 1.54893E-07, A12= 0.00000E+00, A14= 0.00000E+00, A16= 0.00000E+00 
第5面
K= 0.00000E+00, A4=-1.80145E-03, A6= 2.42995E-04, A8=-1.73219E-05
A10= 7.81719E-07, A12=-3.98036E-08, A14= 1.39848E-09, A16=-1.86240E-11 
第6面
K= 0.00000E+00, A4=-1.27860E-03, A6= 1.66886E-04, A8=-1.32463E-05
A10= 3.46614E-07, A12=-2.02568E-09, A14= 0.00000E+00, A16= 0.00000E+00 
第11面
K= 0.00000E+00, A4=-4.67985E-03, A6= 3.65903E-03, A8=-2.24944E-04
A10= 3.51473E-05, A12= 9.47513E-07, A14= 0.00000E+00, A16= 0.00000E+00 
第12面
K= 0.00000E+00, A4= 3.28257E-03, A6= 3.43065E-03, A8=-8.45437E-05
A10= 5.59021E-05, A12= 0.00000E+00, A14= 0.00000E+00, A16= 0.00000E+00 
第13面
K= 0.00000E+00, A4= 1.93926E-03, A6=-3.03323E-04, A8= 1.72439E-05
A10=-2.97228E-07, A12= 0.00000E+00, A14= 0.00000E+00, A16= 0.00000E+00 
第14面
K= 0.00000E+00, A4= 1.34194E-03, A6=-2.00903E-04, A8= 3.99287E-06
A10= 2.59728E-07, A12= 0.00000E+00, A14= 0.00000E+00, A16= 0.00000E+00 
【０２０７】
表  １８（各種データ）
ズーム比     4.66108
広角      中間      望遠
焦点距離       3.3418    7.2098   15.5763
Ｆナンバー     3.15570   4.42121   7.17692
画角        65.0872   29.9090   14.1830
像高         3.5200    3.8000    3.9020
レンズ全長     29.8947   25.1171   28.5794
ＢＦ        0.51691   0.54984   0.51778
d6          12.4104    4.2618    0.5000 
d12          4.8766    5.1148    5.3871 
d14          1.0000    4.0999   11.0837 
ズームレンズ群データ
群    始面      焦点距離
1       1      -7.53461
2       7       6.60027
3      13     -28.57178
【０２０８】
（数値実施例７）
数値実施例７のズームレンズ系は、図１９に示した実施の形態７に対応する。数値実施例７のズームレンズ系の面データを表１９に、非球面データを表２０に、各種データを表２１に示す。
【０２０９】
表  １９（面データ）
面番号         r           d           nd         vd
物面             ∞
1         27.60700     0.30000     1.88300    40.8 
2          6.90930     4.43790 
3*        37.09510     0.30000     1.80470    41.0 
4*         5.68390     0.85890 
5*         6.05070     1.71340     2.00272    19.3 
6*         8.92920        可変
7          4.72840     1.07750     1.88300    40.8 
8         20.65800     0.45000 
9(絞り)           ∞     0.45000
10*         6.20390     1.17170     1.68400    31.3 
11         -7.80170     0.30000     2.00069    25.5 
12          3.42760     0.10200 
13          3.74310     1.31580     1.49700    81.6 
14        -11.75630        可変
15*       -53.08990     0.98620     2.00272    19.3 
16*       -17.94450        可変
17*       -12.85380     0.30000     2.00272    19.3 
18*       -40.46120     0.50000 
19               ∞     0.58000     1.51680    64.2
20               ∞        (BF)
像面             ∞
【０２１０】
表  ２０（非球面データ）
第3面
K= 0.00000E+00, A4=-1.49894E-04, A6= 1.23235E-05, A8=-5.78567E-07
A10= 4.07779E-09, A12= 0.00000E+00 
第4面
K= 0.00000E+00, A4=-1.42362E-03, A6= 1.49001E-04, A8=-5.61791E-06
A10= 1.73032E-08, A12= 0.00000E+00 
第5面
K= 0.00000E+00, A4=-1.58370E-03, A6= 1.21149E-04, A8=-4.98031E-06
A10= 4.13875E-08, A12= 0.00000E+00 
第6面
K= 0.00000E+00, A4=-1.06591E-03, A6= 8.30821E-05, A8=-4.54885E-06
A10= 7.34880E-08, A12= 0.00000E+00 
第10面
K= 0.00000E+00, A4=-1.31726E-03, A6=-7.10412E-05, A8= 1.62552E-05
A10=-5.90765E-06, A12= 0.00000E+00 
第15面
K= 0.00000E+00, A4=-3.32712E-03, A6=-7.90057E-05, A8=-2.39575E-05
A10= 1.51085E-06, A12= 7.27418E-08 
第16面
K= 0.00000E+00, A4=-2.89379E-03, A6=-4.33422E-05, A8=-1.45232E-05
A10= 8.65554E-07, A12= 4.64075E-08 
第17面
K= 0.00000E+00, A4=-3.67181E-03, A6= 9.35482E-06, A8= 7.72944E-06
A10=-6.92056E-07, A12= 0.00000E+00 
第18面
K= 0.00000E+00, A4=-3.04844E-03, A6= 9.39632E-05, A8=-3.14207E-06
A10=-1.52038E-07, A12= 0.00000E+00 
【０２１１】
表  ２１（各種データ）
ズーム比     4.69790
広角      中間      望遠
焦点距離       2.8298    4.9875   13.2939
Ｆナンバー     3.24216   3.95272   6.92235
画角        90.0000   44.0000   16.0000
像高         3.6645    3.6773    3.7154
レンズ全長     32.5259   28.0325   32.5259
ＢＦ        0.49814   0.51903   0.53694
d6          12.8191    5.8542    0.3294 
d14          2.7187    2.3100    2.7119 
d16          2.1447    5.0249   14.6412 
ズームレンズ群データ
群    始面      焦点距離
1       1      -5.64035
2       7       7.31655
3      15      26.65844
4      17     -18.89005
【０２１２】
（数値実施例８）
数値実施例８のズームレンズ系は、図２２に示した実施の形態８に対応する。数値実施例８のズームレンズ系の面データを表２２に、非球面データを表２３に、各種データを表２４に示す。
【０２１３】
表  ２２（面データ）
面番号         r           d           nd         vd
物面             ∞
1         15.20320     0.30000     1.88300    40.8 
2          6.09070     3.76400 
3*        18.30960     0.30000     1.80470    41.0 
4*         5.99260     0.62270 
5*         7.02910     1.31320     2.10200    16.8 
6*         9.99760        可変
7(絞り)           ∞    -0.20000
8          3.35830     1.87750     1.59282    68.6 
9        -55.70370     0.40000     2.00272    19.3 
10         16.73170     0.54700 
11*        13.43110     0.60000     1.52996    55.8 
12*      -109.93860        可変
13*       -11.87510     0.60000     1.52996    55.8 
14*       -36.86370        可変
15*       -19.11670     0.63660     1.52996    55.8 
16*      -311.25000     0.31000 
17               ∞     0.60000     1.51680    64.2
18               ∞        (BF)
像面             ∞
【０２１４】
表  ２３（非球面データ）
第3面
K= 0.00000E+00, A4=-4.48117E-03, A6= 3.25755E-04, A8=-1.13041E-05
A10= 1.79883E-07, A12=-1.00756E-09, A14= 0.00000E+00, A16= 0.00000E+00 
第4面
K= 0.00000E+00, A4=-4.28795E-03, A6= 2.92617E-04, A8=-7.21780E-06
A10= 3.54352E-08, A12= 0.00000E+00, A14= 0.00000E+00, A16= 0.00000E+00 
第5面
K= 0.00000E+00, A4=-2.11899E-04, A6= 3.38194E-05, A8=-4.93255E-06
A10= 3.78156E-07, A12=-2.32827E-08, A14= 8.83376E-10, A16=-1.47055E-11 
第6面
K= 0.00000E+00, A4=-5.81130E-04, A6= 8.55558E-05, A8=-9.17056E-06
A10= 3.97899E-07, A12=-7.09442E-09, A14= 0.00000E+00, A16= 0.00000E+00 
第11面
K= 0.00000E+00, A4=-5.48904E-03, A6= 7.59798E-04, A8= 1.79730E-04
A10=-1.15141E-05, A12= 9.47513E-07, A14= 0.00000E+00, A16= 0.00000E+00 
第12面
K= 0.00000E+00, A4= 1.65468E-03, A6= 1.71310E-03, A8= 1.48880E-04
A10= 4.57085E-05, A12= 0.00000E+00, A14= 0.00000E+00, A16= 0.00000E+00 
第13面
K= 0.00000E+00, A4=-6.63388E-03, A6= 2.52920E-03, A8=-4.80569E-05
A10=-7.76933E-06, A12=-1.20178E-19, A14= 0.00000E+00, A16= 0.00000E+00 
第14面
K= 0.00000E+00, A4=-5.46239E-03, A6= 2.09281E-03, A8=-6.75217E-05
A10= 4.08703E-08, A12=-6.14282E-19, A14= 0.00000E+00, A16= 0.00000E+00 
第15面
K= 0.00000E+00, A4=-7.25468E-03, A6= 9.41190E-04, A8=-3.92942E-05
A10= 5.49659E-07, A12= 0.00000E+00, A14= 0.00000E+00, A16= 0.00000E+00 
第16面
K= 0.00000E+00, A4=-8.46392E-03, A6= 9.62834E-04, A8=-3.97087E-05
A10= 4.93654E-07, A12= 0.00000E+00, A14= 0.00000E+00, A16= 0.00000E+00 
【０２１５】
表  ２４（各種データ）
ズーム比     4.66225
広角      中間      望遠
焦点距離       3.3625    7.2572   15.6770
Ｆナンバー     3.22437   4.49045   7.18257
画角        64.2153   29.7286   14.5799
像高         3.5200    3.8000    3.9020
レンズ全長     30.0026   25.0154   27.9167
ＢＦ        0.49888   0.52951   0.47158
d6          12.7263    4.4252    0.5000 
d12          2.8234    3.1652    4.2510 
d14          2.2830    5.2245   11.0231 
ズームレンズ群データ
群    始面      焦点距離
1       1      -7.35284
2       7       6.43029
3      13     -33.33330
4      15     -38.46149
【０２１６】
（数値実施例９）
数値実施例９のズームレンズ系は、図２５に示した実施の形態９に対応する。数値実施例９のズームレンズ系の面データを表２５に、非球面データを表２６に、各種データを表２７に示す。
【０２１７】
表  ２５（面データ）
面番号         r           d           nd         vd
物面             ∞
1         24.32190     0.30000     1.88300    40.8 
2          6.66940     3.00000 
3*        12.83160     0.30000     1.80470    41.0 
4*         5.23870     0.87770 
5*         7.78450     1.66710     2.10200    16.8 
6*        12.16120        可変
7(絞り)           ∞    -0.20000
8          3.79110     2.84420     1.59282    68.6 
9         -6.64050     0.40000     2.00272    19.3 
10        -13.08460     0.33780 
11*         3.82260     0.60000     1.52996    55.8 
12*         2.65200        可変
13        -18.96520     0.60000     1.74993    45.4 
14        -34.86500     1.00640     1.62041    60.3 
15        -11.52100        可変
16*        -7.05560     0.59360     1.52996    55.8 
17*        -5.39400     0.31000 
18               ∞     0.60000     1.51680    64.2
19               ∞        (BF)
像面             ∞
【０２１８】
表  ２６（非球面データ）
第3面
K= 0.00000E+00, A4=-4.56617E-03, A6= 3.31670E-04, A8=-1.39720E-05
A10= 2.89680E-07, A12=-2.20732E-09, A14= 0.00000E+00, A16= 0.00000E+00 
第4面
K= 0.00000E+00, A4=-5.03940E-03, A6= 3.84671E-04, A8=-1.66594E-05
A10= 2.59018E-07, A12= 0.00000E+00, A14= 0.00000E+00, A16= 0.00000E+00 
第5面
K= 0.00000E+00, A4=-7.41635E-04, A6= 8.95148E-05, A8=-9.37771E-06
A10= 4.97634E-07, A12=-2.23696E-08, A14= 8.15290E-10, A16=-1.33199E-11 
第6面
K= 0.00000E+00, A4=-1.01145E-03, A6= 9.54127E-05, A8=-1.07452E-05
A10= 4.91533E-07, A12=-8.38432E-09, A14= 0.00000E+00, A16= 0.00000E+00 
第11面
K= 0.00000E+00, A4=-1.59441E-02, A6=-7.56365E-04, A8=-5.25850E-04
A10= 1.05299E-04, A12= 9.47513E-07, A14= 0.00000E+00, A16= 0.00000E+00 
第12面
K= 0.00000E+00, A4=-1.46982E-02, A6=-1.13171E-03, A8=-4.51063E-04
A10= 1.22256E-04, A12= 0.00000E+00, A14= 0.00000E+00, A16= 0.00000E+00 
第16面
K= 0.00000E+00, A4= 1.11848E-02, A6=-7.33191E-04, A8= 1.70486E-05
A10=-1.74139E-07, A12= 0.00000E+00, A14= 0.00000E+00, A16= 0.00000E+00 
第17面
K= 0.00000E+00, A4= 1.69848E-02, A6=-1.01313E-03, A8= 9.22440E-06
A10= 3.85349E-07, A12= 0.00000E+00, A14= 0.00000E+00, A16= 0.00000E+00 
【０２１９】
表  ２７（各種データ）
ズーム比     4.65878
広角      中間      望遠
焦点距離       3.3396    7.2086   15.5586
Ｆナンバー     3.05669   4.29141   7.17124
画角        70.4003   30.3275   14.8526
像高         3.5200    3.8000    3.9020
レンズ全長     30.0175   25.9360   30.4641
ＢＦ        0.51372   0.51845   0.46020
d6          11.7783    3.8537    0.5000 
d12          2.7343    5.2233   15.0671 
d15          1.7544    3.1038    1.2000
ズームレンズ群データ
群    始面      焦点距離
1       1      -7.27081
2       7       6.84806
3      13      50.00046
4      16      38.45982
【０２２０】
（数値実施例１０）
数値実施例１０のズームレンズ系は、図２８に示した実施の形態１０に対応する。数値実施例１０のズームレンズ系の面データを表２８に、非球面データを表２９に、各種データを表３０に示す。
【０２２１】
表  ２８（面データ）
面番号         r           d           nd         vd
物面             ∞
1         17.04990     0.30000     1.88300    40.8 
2          6.34710     3.57860 
3*        49.98660     0.30000     1.80470    41.0 
4*         7.48810     0.58900 
5*         8.13390     1.33130     2.10200    16.8 
6*        13.38480        可変
7(絞り)           ∞    -0.20000
8          3.56570     2.82030     1.51680    64.2 
9         -5.98890     0.40000     2.00272    19.3 
10        -11.59690     0.15000 
11*         2.75640     0.64650     1.52996    55.8 
12*         2.28770        可変
13*         7.60770     0.60000     1.52996    55.8 
14*         5.04120        可変
15*        58.58910     1.20900     1.80470    41.0 
16        -17.58750        可変
17        -24.02720     0.50000     1.52996    55.8 
18        -50.00000     0.31000 
19               ∞     0.60000     1.51680    64.2
20               ∞        (BF)
像面             ∞
【０２２２】
表  ２９（非球面データ）
第3面
K= 0.00000E+00, A4=-3.41446E-03, A6= 2.42374E-04, A8=-6.91185E-06
A10= 7.09336E-08, A12= 0.00000E+00, A14= 0.00000E+00, A16= 0.00000E+00 
第4面
K= 0.00000E+00, A4=-2.98265E-03, A6= 2.26192E-04, A8=-4.06884E-06
A10=-9.20861E-09, A12= 0.00000E+00, A14= 0.00000E+00, A16= 0.00000E+00 
第5面
K= 0.00000E+00, A4=-1.60318E-04, A6= 6.93122E-05, A8=-6.07853E-06
A10= 4.28211E-07, A12=-3.03173E-08, A14= 1.13058E-09, A16=-1.50921E-11 
第6面
K= 0.00000E+00, A4=-4.83725E-04, A6= 1.09967E-04, A8=-8.30018E-06
A10= 1.83569E-07, A12=-2.07628E-10, A14= 0.00000E+00, A16= 0.00000E+00 
第11面
K= 0.00000E+00, A4=-7.45206E-03, A6=-1.91587E-03, A8=-3.69489E-04
A10= 7.79199E-06, A12= 9.47513E-07, A14= 0.00000E+00, A16= 0.00000E+00 
第12面
K= 0.00000E+00, A4=-4.50078E-03, A6=-2.41520E-03, A8=-7.75872E-04
A10= 5.69121E-05, A12= 0.00000E+00, A14= 0.00000E+00, A16= 0.00000E+00 
第13面
K= 0.00000E+00, A4=-1.26864E-02, A6= 1.58808E-03, A8=-1.50148E-04
A10= 9.54297E-06, A12= 0.00000E+00, A14= 0.00000E+00, A16= 0.00000E+00 
第14面
K= 0.00000E+00, A4=-1.43538E-02, A6= 1.73680E-03, A8=-1.70727E-04
A10= 9.50247E-06, A12= 0.00000E+00, A14= 0.00000E+00, A16= 0.00000E+00 
第15面
K= 0.00000E+00, A4=-5.69331E-04, A6= 2.82817E-05, A8=-3.67676E-07
A10=-8.31204E-09, A12= 0.00000E+00, A14= 0.00000E+00, A16= 0.00000E+00 
【０２２３】
表  ３０（各種データ）
ズーム比     5.53873
広角      中間      望遠
焦点距離       3.3998    7.9973   18.8304
Ｆナンバー     2.57456   3.94536   7.22984
画角        64.4222   26.9312   11.6654
像高         3.5200    3.8000    3.9020
レンズ全長     29.5039   25.5879   32.0039
ＢＦ        0.48792   0.51915   0.44564
d6          11.9692    3.8733    0.5000 
d12          2.3000    3.7051    4.5000 
d14          1.6000    4.7540   13.7692 
d16          0.5000    0.1208    0.1000 
ズームレンズ群データ
群    始面      焦点距離
1       1      -7.65504
2       7       6.77729
3      13     -30.68157
4      15      16.92972
5      17     -87.86522
【０２２４】
（数値実施例１１）
数値実施例１１のズームレンズ系は、図３１に示した実施の形態１１に対応する。数値実施例１１のズームレンズ系の面データを表３１に、非球面データを表３２に、各種データを表３３に示す。
【０２２５】
表  ３１（面データ）
面番号         r           d           nd         vd
物面             ∞
1*      2000.00000     0.30000     1.80470    41.0 
2*         5.23150     4.25300 
3*         8.57230     2.36940     2.10200    16.8 
4*         9.89710        可変
5(絞り)           ∞    -0.20000
6          3.59130     2.91420     1.59282    68.6 
7        -10.54950     0.40000     1.92286    20.9 
8       -295.46390     0.38300 
9*         3.37740     0.60000     1.52996    55.8 
10*         2.75100        可変
11*        36.40950     0.60000     1.52996    55.8 
12*         9.36160        可変
13*        41.49000     2.20000     1.52996    55.8 
14*        -6.75650     0.31000 
15               ∞     0.60000     1.51680    64.2
16               ∞        (BF)
像面             ∞
【０２２６】
表  ３２（非球面データ）
第1面
K= 0.00000E+00, A4= 1.55710E-03, A6=-5.55554E-05, A8= 8.13001E-07
A10=-5.16454E-09, A12= 0.00000E+00, A14= 0.00000E+00, A16= 0.00000E+00 
第2面
K= 0.00000E+00, A4= 9.93804E-04, A6= 3.22831E-05, A8=-8.61786E-07
A10=-1.10590E-07, A12= 0.00000E+00, A14= 0.00000E+00, A16= 0.00000E+00 
第3面
K= 0.00000E+00, A4=-4.73110E-04, A6= 6.98924E-05, A8=-5.72653E-06
A10= 3.68389E-07, A12=-1.60896E-08, A14= 3.88946E-10, A16=-3.95616E-12 
第4面
K= 0.00000E+00, A4=-5.05344E-04, A6= 7.87312E-05, A8=-6.64803E-06
A10= 3.20949E-07, A12=-6.54684E-09, A14= 0.00000E+00, A16= 0.00000E+00 
第9面
K= 0.00000E+00, A4=-1.00356E-02, A6=-4.23711E-03, A8= 1.10553E-03
A10=-5.10811E-04, A12= 7.74125E-05, A14= 0.00000E+00, A16= 0.00000E+00 
第10面
K= 0.00000E+00, A4=-5.82345E-03, A6=-2.17327E-03, A8=-7.89908E-04
A10= 1.79971E-04, A12= 0.00000E+00, A14= 0.00000E+00, A16= 0.00000E+00 
第11面
K= 0.00000E+00, A4=-5.26850E-03, A6= 9.15284E-04, A8=-4.86427E-05
A10=-3.75981E-06, A12= 0.00000E+00, A14= 0.00000E+00, A16= 0.00000E+00 
第12面
K= 0.00000E+00, A4=-4.64467E-03, A6= 7.46853E-04, A8=-2.92234E-05
A10=-3.45687E-06, A12= 0.00000E+00, A14= 0.00000E+00, A16= 0.00000E+00 
第13面
K= 0.00000E+00, A4= 6.55072E-05, A6= 5.56360E-05, A8=-2.07669E-06
A10= 4.60303E-08, A12= 0.00000E+00, A14= 0.00000E+00, A16= 0.00000E+00 
第14面
K= 0.00000E+00, A4= 3.18851E-03, A6=-7.03962E-05, A8=-3.34723E-07
A10= 5.98192E-08, A12= 0.00000E+00, A14= 0.00000E+00, A16= 0.00000E+00 
【０２２７】
表  ３３（各種データ）
ズーム比     4.63960
広角      中間      望遠
焦点距離       3.5955    7.7081   16.6816
Ｆナンバー     2.83057   4.11051   7.19689
画角        50.5735   26.7023   13.3603
像高         3.4300    3.9020    3.9020
レンズ全長     31.4790   26.8210   32.6002
ＢＦ        0.52615   0.55112   0.52894
d4          12.2980    3.8976    0.5000 
d10          2.3252    3.2593    2.3000 
d12          1.6000    4.3834   14.5417 
ズームレンズ群データ
群    始面      焦点距離
1       1      -8.50591
2       5       7.05825
3      11     -23.96283
4      13      11.13963
【０２２８】
以下の表３４に、各数値実施例のズームレンズ系における各条件の対応値を示す。
【０２２９】
表  ３４（条件の対応値）
【表１】
0005676505.tif 000003
【産業上の利用可能性】
【０２３０】
本発明に係るズームレンズ系は、デジタルカメラ、スマートフォン等の携帯情報端末、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０２３１】
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
0005676505.tif 000004
【図２】
0005676505.tif 000005
【図３】
0005676505.tif 000006
【図４】
0005676505.tif 000007
【図５】
0005676505.tif 000008
【図６】
0005676505.tif 000009
【図７】
0005676505.tif 000010
【図８】
0005676505.tif 000011
【図９】
0005676505.tif 000012
【図１０】
0005676505.tif 000013
【図１１】
0005676505.tif 000014
【図１２】
0005676505.tif 000015
【図１３】
0005676505.tif 000016
【図１４】
0005676505.tif 000017
【図１５】
0005676505.tif 000018
【図１６】
0005676505.tif 000019
【図１７】
0005676505.tif 000020
【図１８】
0005676505.tif 000021
【図１９】
0005676505.tif 000022
【図２０】
0005676505.tif 000023
【図２１】
0005676505.tif 000024
【図２２】
0005676505.tif 000025
【図２３】
0005676505.tif 000026
【図２４】
0005676505.tif 000027
【図２５】
0005676505.tif 000028
【図２６】
0005676505.tif 000029
【図２７】
0005676505.tif 000030
【図２８】
0005676505.tif 000031
【図２９】
0005676505.tif 000032
【図３０】
0005676505.tif 000033
【図３１】
0005676505.tif 000034
【図３２】
0005676505.tif 000035
【図３３】
0005676505.tif 000036
【図３４】
0005676505.tif 000037